(57)【要約】【課題】  遊技球の検知を確実にするとともに、不正行為を防止する。【解決手段】  遊技球が流下可能な遊技領域４ａを有する遊技盤４と、遊技領域４ａに設けられ遊技球Ｂが入球可能な入賞口１９と、入賞口１９に入球した遊技球Ｂを当該遊技球Ｂの通過を検知する検知センサ２７に向けて誘導する誘導路２０とを備え、誘導路２９は、検知センサ２７よりも上流側に、所定の方向へ屈曲するコーナー部２３を有し、当該コーナー部２３のうち、内コーナー部２３ａに、誘導路２０に侵入する糸状の侵入物Ｘを捕捉可能な捕捉部２８を設ける。【選択図】  図４
2016034436.tif 000002
【特許請求の範囲】
【請求項１】
遊技球が流下可能な遊技領域を有する遊技盤と、
前記遊技領域に設けられ遊技球が入球可能な入賞口と、
前記入賞口に入球した遊技球を当該遊技球の通過を検知する検知センサに向けて誘導する誘導路と、を備え、
前記誘導路は、前記検知センサよりも上流側に、所定の方向へ屈曲するコーナー部を有し、当該コーナー部のうち、内コーナー部に、前記誘導路に侵入する糸状の侵入物を捕捉可能な捕捉部を設けたことを特徴とする弾球遊技機。
【請求項２】
前記捕捉部を、鋸歯状の切込み部とすることを特徴とする請求項１記載の弾球遊技機。
【請求項３】
前記入賞口と、前記検知センサ及び前記捕捉部を備える前記誘導路と、を一体的に形成することで入賞装置とし、当該入賞装置の前面を透明とすることで、前記弾球遊技機の前側から、前記入賞口に入球した遊技球を視認可能とすることを特徴とする請求項１または２に記載の弾球遊技機。
【発明の詳細な説明】
【技術分野】
【０００１】
本発明は、弾球遊技機に係わり、特に遊技球が入球可能な入賞口を備えた弾球遊技機に関する。
【背景技術】
【０００２】
従来、弾球遊技機においては、遊技球を検知する検知センサに向けて転動する遊技球が、検知センサで検知される前段階において、その速度を有効に減速し得るようにしたものがある。
【０００３】
例えば、特許文献１に記載の弾球遊技機（特許文献１では「雀球遊技機」）においては、遊技領域を流下する遊技球が入賞口（同様に「入球口」）に進入した場合、検知センサ（同様に「近接センサ」）で検知される前段階にて接触部に接触させることで、遊技球の転動速度を減速させ、遊技球の通過を常に確実に検知することができるようにしている。
【先行技術文献】
【特許文献】
【０００４】
【特許文献１】特開２００８−２３７２８８号公報
【発明の概要】
【発明が解決しようとする課題】
【０００５】
しかしながら、遊技球の転動速度を減速させることで、検知センサが遊技球の通過を確実に検知できるものの、近年、糸状、例えば釣り糸を取り付けた不正遊技球を、弾球遊技機に進入させ、釣り糸を引っ張ったり緩めたりして往復移動することで検知センサを通過させ、誤作動を起こさせる不正入賞行為（ゴト行為）が問題となっており、検知センサが不正遊技球でない遊技球を正しく検知し、賞球が確実に行えない自体が発生する虞がある。
【０００６】
本発明は、かかる課題に鑑みなされたものであって、遊技球の検知を確実にするとともに、不正行為を防止することができるようにした弾球遊技機を提供することを目的とする。
【課題を解決するための手段】
【０００７】
本発明によると、上記課題は、次のようにして解決される。
第１の発明は、遊技球が流下可能な遊技領域を有する遊技盤と、前記遊技領域に設けられ遊技球が入球可能な入賞口と、前記入賞口に入球した遊技球を当該遊技球の通過を検知する検知センサに向けて誘導する誘導路と、を備え、前記誘導路は、前記検知センサよりも上流側に、所定の方向へ屈曲するコーナー部を有し、当該コーナー部のうち、内コーナー部に、前記誘導路に侵入する糸状の侵入物を捕捉可能な捕捉部を設ける。
【０００８】
第１の発明によると、誘導路に屈曲するコーナー部を設けることで、遊技球の転動速度を減速させ、コーナー部の下流側に検知センサを設けることにより減速した遊技球が検知センサを通過するため、確実に検知できる。
さらに、コーナー部に捕捉部を設けてあるため、検知センサを不正に何度も通過することを防止できる。
【０００９】
第２の発明は、第１の発明において、前記捕捉部を、鋸歯状の切込み部とする。
【００１０】
第２の発明によると、捕捉部を鋸歯状とすることで、糸状の侵入物を確実に捕捉し、補足部に糸状の侵入物が引っかかり残留することで不正行為が明確化できる。
【００１１】
第３の発明は、第１の発明または第２の発明において、前記入賞口と、前記検知センサ及び前記捕捉部を備える前記誘導路と、を一体的に形成することで入賞装置とし、当該入賞装置の前面を透明とすることで、前記弾球遊技機の前側から、前記入賞口に入球した遊技球を視認可能とする。
【００１２】
第３の発明によると、入賞装置として一体形成することで、部品点数を減らすことができ、部材のコストや生産コストの削減が可能となる。また、前面を透明とすることで、遊技球の流下態様を視認でき、遊技の興趣が高まる。
【発明の効果】
【００１３】
本発明によると、遊技球の検知を確実にするとともに、不正行為を防止することができる。
【図面の簡単な説明】
【００１４】
【図１】本発明に係る弾球遊技機の斜め前方から見た斜視図である。
【図２】同じく遊技盤の正面図である。
【図３】同じく斜め前方から見た要部の切り欠き斜視図である。
【図４】図３におけるIV-IV線の断面図である。
【図５】図４におけるV-V線の断面図である。
【図６】図５における捕捉部の拡大図である。
【発明を実施するための形態】
【００１５】
以下、本発明を実施するための一実施形態を、添付図面を参照しながら詳述する。
なお、以下の実施形態は本出願の特許請求の範囲に係る発明を限定するものではなく、実施形態の中で説明される特徴の組み合わせの全てが発明の解決手段に必須であるとは限らない。
【００１６】
なお、以下の説明において弾球遊技機１の各部の左右方向は、その弾球遊技機１の正面に対面する者にとっての左右方向に合わせて説明する。
【００１７】
（弾球遊技機１の全体構造）
図１に示すように、弾球遊技機１は、遊技場の島設備に設置される矩形枠状の外枠２と、外枠２の左枠部に蝶番（図示略）により垂直軸回りに開閉自在に取り付けられる内枠３と、内枠３に装着され、各種要素が組み付けられる遊技盤４（図２参照）と、遊技盤４の前側にあって、内枠３の左枠部に上下の蝶番（図示略）により垂直軸回りに開閉自在に取り付けられ、遊技盤４の前面を閉塞し、遊技者が透視し得る透明な板であるガラス板（合成樹脂板）５ａを嵌め込んだガラス枠５と、遊技盤４の後側に設けられ賞球や貸球等の遊技球Ｂを払出可能な払出装置（図示略）と、ガラス枠５の下部に設けられ、払出装置から払い出される遊技球Ｂを貯留するための受皿部６とガラス枠５の下部裏側に設けられ受皿部６に貯留されている遊技球Ｂを導入して遊技盤４の前面に形成される遊技領域４ａへ向けて発射するための発射装置（図示略）と、ガラス枠５の前面右下部に設けられ受皿部６に貯留された遊技球Ｂを遊技領域４ａへ打ち出す際に操作される発射ハンドル７と、ガラス枠５の上部に設けられ遊技状況に応じた効果音を出力するスピーカ８Ｌ、８Ｒと、ガラス枠５に設けられ遊技状況に応じて点灯、消灯及び点滅する照明演出を行う電飾装置９と、遊技盤４の後側に設置される表示装置１０（図２参照）と、遊技盤４の裏側に設置され、遊技進行及び遊技演出を制御するためのマイクロコンピュータにより構成される各種制御装置（図示略）等とを備える。
なお、制御装置は、弾球遊技機１を統括して制御（大当たり抽選を含む）する主制御装置と、演出に係る制御（演出抽選を含む）を行う副制御装置とに分けて設けるようにしてもよい。
【００１８】
表示装置１０は、遊技盤４の後側に設置され、例えば液晶ディスプレイから構成されることで、ガラス板５ａを透して遊技者が視認可能な表示画面１０１（図２参照）に遊技に係わる情報である各種キャラクタや左列、中列、右列の３列の数字等で構成される演出図柄（図示略）を変動、停止表示すると共に、そのときの遊技状態に応じた動画を表示することによって遊技の盛り上げ演出を行う。
【００１９】
（遊技盤４及びそれに関係する構造）
図２に示すように、遊技盤４は、アクリル樹脂等の透明合成樹脂板により正面視ほぼ方形に形成されると共に、前面には、内外のガイドレール１１、１１によって包囲される円形（楕円形を含む）の遊技領域４ａが形成される。受皿部６に貯留された遊技球Ｂは、発射ハンドル７が回転操作されることにより、発射装置から発射されて、内外のガイドレール１１、１１により左斜め上方へ誘導されて、遊技領域４ａの左上部から遊技領域４ａ内に導入されて流下可能となる。
【００２０】
遊技盤４の遊技領域４ａの略中央部には、表示画面１０１に表示される演出図柄を視認し得るように開口する表示窓１２１を有すると共に、表面に各種模様が施された正面視で枠状の装飾枠１２が固定される。
なお、遊技盤４における表示窓１２１以外の一部の領域は、模様、彩色等が施された不透明の装飾板等が貼着されることにより、弾球遊技機１の内部構造が見えないように隠蔽される。
【００２１】
さらに、遊技領域４ａには、遊技領域４ａに打ち込まれた遊技球Ｂの流下方向を変化させる多数の遊技釘（図示略）及び風車（図示略）と、表示窓１２１の下方にあって、遊技領域４ａの左領域（装飾枠１２の左側の領域）を流下する遊技球Ｂのうち装飾枠１２の左部に設けられたワープ孔１２２に進入したワープ球（遊技球Ｂ）を中央に向かって導入し、当該ワープ球を左右及び前後方向へ転動させ得るステージ１２３と、ステージ１２３の下方にあって、遊技領域４ａを流下する遊技球Ｂ及びステージ１２３の前側から落下したワープ球が入球可能な後述の始動入賞口（入賞口）１９を有する始動入賞装置（入賞装置）１３と、遊技領域４ａの右領域（装飾枠１２の右側の領域）にあって、右領域を流下する遊技球Ｂが通過可能なスルーチャッカ１４と、始動入賞装置１３の右方にあって、遊技球Ｂの始動入賞装置１３への入賞を契機に行われる抽選の結果に基づいて遊技状態が通常の遊技状態（以下、通常遊技状態という）から大当たり遊技状態に移行した場合、遊技領域４ａの右領域を流下する右打ちされた遊技球Ｂ（右打ち遊技球Ｂ）が入球可能な大入賞口１５と、遊技領域４ａの最下端部にあって、遊技領域４ａに打ち込まれた遊技球Ｂのうち始動入賞装置１３、及び大入賞口１５に入球しなかったアウト球（遊技球Ｂ）を遊技盤４の裏面側に排出するアウト口１６とが設けられる。
【００２２】
また、始動入賞装置１３の内部には、遊技球Ｂの入球を検知するための、後述の検知センサ２７が設けられており、さらに、大入賞口１５の内部には遊技球Ｂの入球を検知するための検知センサ（図示略）が設けられており、それぞれ遊技球Ｂの入球を検知すると、所定個数の遊技球Ｂが賞球として遊技者に払い出される。
なお、以下、遊技球Ｂが、始動入賞装置１３に入球し検知センサ２７によって検知されたことを入賞といい、同様に、遊技球Ｂが、大入賞口１５に入球し検知センサによって検知されたことを入賞という。
【００２３】
右打ち遊技球Ｂは、装飾枠１２の上面及び右外周面に形成される右打ち通路１２４を通過して遊技領域４ａの右領域に導かれる。遊技領域４ａの右下領域に導出された右打ち遊技球Ｂは、スルーチャッカ１４を通過可能となり、大入賞口１５に入球可能となる。
【００２４】
通常遊技状態の場合、受皿部６に貯留されている遊技球Ｂが発射装置により発射され、遊技領域４ａに打ち込まれた遊技球Ｂが始動入賞装置１３に入賞すると、これを契機に、弾球遊技機１の裏側に設けられる制御装置により実行される抽選の結果、所定の変動パターンに基づいて、表示画面１０１に演出図柄を所定の演出態様で表示する視覚演出を所定時間行った後、演出図柄が特定の組み合わせで確定表示し、大当たり遊技状態が生起した場合には、大入賞口１５の開閉部材１５１が開放位置に移動することで、遊技球Ｂの入球が可能となる。
【００２５】
また、大入賞口１５内に設けた検知センサが、大入賞口１５に入賞した遊技球Ｂが特定領域を通過したことを検出した場合には、大入賞口１５が閉鎖後に再度開放する。
これにより、大当たり遊技状態のときには、開放状態にある大入賞口１５に多数の遊技球Ｂが入賞可能となり、賞球払出装置（図示略）から賞球として大量の遊技球Ｂが短時間に受皿部６に払い出される。また、大入賞口１５に入賞した遊技球Ｂは遊技盤４の後側に排出される。
【００２６】
次に、本発明の特徴部分である始動入賞装置１３について説明する。
図２〜４に示すように、始動入賞装置１３は、アクリル樹脂等の透明合成樹脂材であって、遊技盤４における遊技領域４ａの中央下領域に設置され、遊技盤４に平行に固定されるベース部１７と、ベース部１７の前面に形成され上方が開口する透明ケース１８とを有する。
【００２７】
図３等に示すように、透明ケース１８は、正面視ほぼ方形であって、上方のステージ１２３に向かって突出し、遊技領域４ａを流下する遊技球Ｂが入球可能な始動入賞口１９と、始動入賞口１９に入球した遊技球Ｂを下流方向へ誘導し、遊技盤４の後側に排出するように誘導する誘導路２０とを有している。
【００２８】
図３に示すように、始動入賞口１９は、常時上向きに開口する遊技球入賞口であり、右側縁１９ａ、左側縁１９ｂ、前側縁１９ｃ、及び後側縁１９ｄを逆ハの字状に、下向傾斜させることで遊技球Ｂを入球し易くする面取部１９１を設け、誘導路２０の前面に、前側縁１９ｃの面取部１９１から連なるように誘導片２０ａを設ける。
【００２９】
図４に示すように、誘導路２０は、所定の方向へ屈曲することで正面視クランク状であって、始動入賞口１９に入球した遊技球Ｂを、下方に向かって垂直に誘導する第１直線誘導路２１と、第１直線誘導路２１を通過した遊技球Ｂを、左方に向かって誘導するために左側に屈曲する第１コーナー部２２と、第１コーナー部２２を通過した遊技球Ｂを、再び下方に向かって誘導するために下側に屈曲する第２コーナー部２３と、第２コーナー部２３を通過した遊技球Ｂを、さらに下方に向かって垂直に誘導する第２直線誘導路２４と、第２直線誘導路２４を通過した遊技球Ｂを、遊技盤４の裏側に排出するための排出口２６、つまり前方から後方に向かって下り傾斜することで誘導する排出誘導路２５とを備えている。
【００３０】
また、第２直線誘導路２４の下部には、遊技球Ｂを、第２直線誘導路２４から排出誘導路２５に円滑に誘導するための誘導片２４ａが設けられている。
【００３１】
図３、４に示すように、第２直線誘導路２４、つまり第２コーナー部２３の下流側には、遊技球Ｂが第１コーナー部２２、及び第２コーナー部２３を通過することで各コーナー部２２、２３の側壁に衝突し、転動速度が減速された遊技球Ｂを検知する検知センサ２７を設ける。
遊技球Ｂの転動速度が減速されることにより、検知センサ２７はより確実に遊技球Ｂを検知することができる。
【００３２】
図３等に示すように、第２コーナー部２３の内周側である内コーナー部２３ａには、誘導路２０に侵入する糸状の侵入物Ｘを捕捉可能な捕捉部２８を設ける。
第２コーナー部２３の内コーナー部２３ａに捕捉部２８を設けることにより、遊技球Ｂが検知センサ２７を不正に何度も通過することを防止することが可能となる。内コーナー部２３ａの表面は円弧状を為し、遊技球Ｂが流下しやすい形状となっている。
【００３３】
図５、６に示すように、捕捉部２８は、鋸歯状の切込み部２８ａを有し、図６に示すように、不正行為が行われた場合、切込み部２８ａに、糸状の侵入物Ｘが引っかかる形状を有している。例えば、糸状の侵入物Ｘの先端に取り付けた不正遊技球を、始動入賞口１９に進入させた状態で、侵入物Ｘを引っ張ったり緩めたりして、不正遊技球が検知センサ２７を通過するような不正行為が行われると、侵入物Ｘが切込み部２８ａに引っかかったり、切断されたりする。これにより、不正入賞行為（ゴト行為）を防止できるとともに、不正行為の痕跡が残る（図５、６参照）ため、不正入賞行為の把握がしやすくなる。
【００３４】
捕捉部２８は、内コーナー部２３ａの表面側は糸状の侵入物Ｘが入り込みやすいように幅（図６（ｂ）における左右方向）が広く間隙しており、奥側（図６（ｂ）における上方向）に進むにつれて、糸状の侵入物Ｘを捕捉しやすいように幅を狭く（細く）した切込み部２８ａを有する。
また、捕捉部２８は、表面側から最奥側の切込み部２８ａに向かって漸近幅が狭く（細く）なるので、糸状の侵入物Ｘが円滑に切込み部２８ａ案内され、捕捉しやすい形状となっている。
【００３５】
また、始動入賞装置１３は、視認可能な透明部材であるため、始動入賞口１９に入球した遊技球Ｂが、第１直線誘導路２１を流下し、第１コーナー部２２、及び第２コーナー部２３の内壁に衝突することで、転動速度が減速し、その後、検知センサ２７を通過し、第２直線誘導路２４へと流下する様子を視認できるので、遊技の興趣が高まる。
【００３６】
その後、第２直線誘導路２４を通過した遊技球Ｂは、排出口２６に向かって排出誘導路２５を流下する。
これにより、検知センサ２７が、遊技球Ｂの通過を確実に検知し、当該検知に伴い所定個数の遊技球Ｂが賞品（賞球）として過不足なく払い出される。
【００３７】
以上により、始動入賞装置１３は、遊技球Ｂの流下態様を視認出来るとともに、遊技球Ｂを検知する検知センサ２７の上流側に、遊技球Ｂの流下速度を減速する第１コーナー部２２及び第２コーナー部２３を備え、さらに第２コーナー部２３の内コーナー部２３ａに、例えば、釣り糸（侵入物Ｘ）を取り付けた不正遊技球を捕捉する捕捉部２８を備えているため、構成要素が一体となっており簡素化がなされている。
これにより、例えば、遊技球Ｂを、確実に検知センサ２７で検知するために、始動入賞装置１３に入球するまでに流下速度を減速する構成や、不正遊技球を捕捉する構成を別途設ける必要がなくなる。
【００３８】
以上、本発明の実施形態について説明したが、本発明の趣旨を逸脱しない範囲内で、本実施形態に対して、次のような変形や変更を施すことが可能である。
（１）  誘導路２０には、流下する遊技球Ｂの転動速度を減速するために、第１コーナー部２２、及び第２コーナー部２３と２つのコーナー部を設けたが、コーナー部は、１つでもよく、また３つ以上設ければより転動速度の減速が期待できる。
（２）捕捉部２８を、第１コーナー部２２の内コーナー部２２ａにも設けてもよく、捕捉部２８を複数設けることにより確実に不正入賞行為を防止するようにする。
（３）  捕捉部２８は、糸状の侵入物Ｘを捕捉する形状ならどのようなものでもよく、例えば、捕捉部２８を上下に複数重ねて、さらに切込み部２８ａが重ならないように左右にずらして配置することにより確実に不正入賞行為を防止するようにしてもよい。
【符号の説明】
【００３９】
１  弾球遊技機
２  外枠
３  内枠
４  遊技盤
４ａ  遊技領域
５  ガラス枠
５ａ  ガラス板
６  受皿部
７  発射ハンドル
８Ｌ、８Ｒ  スピーカ
９  電飾装置
１０  表示装置
１１  ガイドレール
１２  装飾枠
１３  始動入賞装置（入賞装置）
１４  スルーチャッカ
１５  大入賞口
１６  アウト口
１７  ベース部
１８  透明ケース
１９  始動入賞口（入賞口）
１９ａ  右縁部
１９ｂ  左縁部
１９ｃ  前縁部
１９ｄ  後縁部
２０  誘導路
２０ａ  誘導片
２１  第１直線誘導路
２２  第１コーナー部
２２ａ  内コーナー部
２３  第２コーナー部
２３ａ  内コーナー部
２４  第２直線誘導路
２４ａ  誘導片
２５  排出誘導路
２６  排出口
２７  検知センサ
２８  捕捉部
２８ａ  切込み部
１０１  表示画面
１９１  面取部
１２１  表示窓
１２２  ワープ孔
１２３  ステージ
１２４  右打ち通路
１５１  開閉部材
Ｂ  遊技球
Ｘ  侵入物（釣り糸）
【図１】
2016034436.tif 000003
【図２】
2016034436.tif 000004
【図３】
2016034436.tif 000005
【図４】
2016034436.tif 000006
【図５】
2016034436.tif 000007
【図６】
2016034436.tif 000008